(57)【要約】      （修正有）【課題】書籍等に従来慣用的に行っている赤線引きやマーカーペン等でのマーキング処理を違和感を生じなく、書籍に赤線や着色を付しても、簡単に赤線や着色等を除去したり、変更できるようにする。【解決手段】マーキング具１を鉛筆状や蛍光ペン状等の筆記具状に形成して文字幅ないし鉛筆の芯幅のマーキング着色やマーキング線を施すマーキング材４を上記マーキング具１内に装着し、マーキング具１の先端部からマーキング着色やマーキング線を施すマーキング材４を繰り出し自在に形成して、書籍や雑誌、新聞などの文字面に着脱可能に着色したり、文字の側部や下部に着脱可能に傍線や下線を付せるようにしている。【選択図】図１
0003137367.tif 000002
【実用新案登録請求の範囲】
【請求項１】
書籍や雑誌、新聞などの文字面に着色したり、文字の側部や下部に傍線や下線を付するための書籍等のマーキング具であって、
上記マーキング具を鉛筆状や蛍光ペン状等の筆記具状に形成して文字幅ないし鉛筆の芯幅のマーキング着色やマーキング線を施すマーキング材を上記マーキング具内に装着し、  マーキング具の先端部からマーキング着色やマーキング線を施すマーキング材を繰り出し自在に形成して、書籍や雑誌、新聞などの文字面に着脱可能に着色したり、文字の側部や下部に着脱可能に傍線や下線を付するように形成したことを特徴とする書籍等のマーキング具。
【請求項２】
文字幅ないし鉛筆の芯幅のマーキング着色やマーキング線を施した粘着テープのマーキング材を巻回した巻回体をマーキング具内に装着し、マーキング具の先端の開口部から上記巻回体に巻回したマーキング着色やマーキング線を施した粘着テープのマーキング材を繰り出し自在に形成した請求項１に記載の書籍等のマーキング具。
【請求項３】
文字幅ないし鉛筆の芯幅のマーキング着色やマーキング線を施す剥離可能な流動状のマーキング材をマーキング具内に気密的に装着し、マーキング具の先端のペン先部から上記剥離可能な流動状のマーキング材を所要個所に繰り出し自在にして付着した請求項１に記載の書籍等のマーキング具。
【請求項４】
マーキングを０．５〜１．０ｍｍ幅に形成した請求項１ないし３のいずれかに記載の書籍等のマーキング具。
【請求項５】
マーキング具内に赤色や黄色などの複数色または０．５ｍｍ幅ないし１０ｍｍ幅となるマーキング着色やマーキング線のマーキング材を装着して、所要のマーキング着色やマーキング線のマーキング材を繰り出し自在に形成した請求項１ないし４のいずれかに記載の書籍等のマーキング具。
【考案の詳細な説明】
【技術分野】
【０００１】
本考案は、書籍や雑誌、新聞などの文字の側部や下部に下線や傍線等を付ける書籍等のマーキング具に関し、特に書籍や雑誌、新聞等を汚さずに下線や傍線等を付せる書籍等のマーキング具に関するものである。
【背景技術】
【０００２】
従来、学生や先生、読書家等は、読書したり、研究したり、辞書を引いたりして、その書籍の自分の気にいったところ、注意を必要とするところに赤線やマーカーペンで下線や傍線、波線を付し、後日の参考や検索等に有効に利用できるようにしている。
【０００３】
しかし、傍線引きの個所を誤ったり、より適切な個所を見出したりした場合、傍線引きを不要にしたいと思うことがあり、さらに書籍に赤線等を付するのは、図書館や友人等から借りた場合には、他の利用者や友人等を不愉快にさせるものであり、特に図書館等の公共の機関にとっては悩みの種であった。
【０００４】
またさらに、書籍に赤線等を施すことは、古本として売却するときにその価値を落とし、価格を下げるものであった。
【０００５】
そのため、実用新案登録第３０２２８１５号や実用新案登録第３１２８０８１号には、薄いシートに着色線を施して裏面に粘着剤を塗布し、このマーキングシートを書籍等の文字列の側部や下部に着脱可能に貼付し、書籍等を汚損することなくしたり、書籍に赤線を付しても、簡単に赤線等を除去したり、変更できることを提案している。
【特許文献１】実用新案登録第３０２２８１５号公報
【特許文献２】実用新案登録第３１２８０８１号公報
【考案の開示】
【考案が解決しようとする課題】
【０００６】
しかし、これらにあっては、予め所定幅、所定長さに形成した目印用シートを書籍等の文字列の下部や側部に貼付したり、目印用シートをロールに巻き取っておいて必要な長さに切り取って上記のように貼付したりするもので、従来慣用的に行っている赤線引きやマーカーペン等の着色処理とは違和感を生じるものであった。
【課題を解決するための手段】
【０００７】
本考案は、上記のような点に鑑みたもので、上記の課題を解決するために、書籍や雑誌、新聞などの文字面に着色したり、文字の側部や下部に傍線や下線を付するための書籍等のマーキング具であって、上記マーキング具を鉛筆状や蛍光ペン状等の筆記具状に形成して文字幅ないし鉛筆の芯幅のマーキング着色やマーキング線を施すマーキング材を上記マーキング具内に装着し、  マーキング具の先端部からマーキング着色やマーキング線を施すマーキング材を繰り出し自在に形成して、書籍や雑誌、新聞などの文字面に着脱可能に着色したり、文字の側部や下部に着脱可能に傍線や下線を付するように形成したことを特徴とする書籍等のマーキング具を提供するにある。
【０００８】
また、文字幅ないし鉛筆の芯幅のマーキング着色やマーキング線を施した粘着テープのマーキング材を巻回した巻回体をマーキング具内に装着し、マーキング具の先端の開口部から上記巻回体に巻回したマーキング着色やマーキング線を施した粘着テープのマーキング材を繰り出し自在に形成した書籍等のマーキング具を提供するにある。
【０００９】
さらに、文字幅ないし鉛筆の芯幅のマーキング着色やマーキング線を施す剥離可能な流動状のマーキング材をマーキング具内に気密的に装着し、マーキング具の先端のペン先部から上記剥離可能な流動状のマーキング材を所要個所に繰り出し自在にして付着した書籍等のマーキング具を提供するにある。
【００１０】
さらにまた、マーキングを０．５〜１．０ｍｍ幅に形成した書籍等のマーキング具を提供するにある。
【００１１】
またさらに、マーキング具内に赤色や黄色などの複数色または０．５ｍｍ幅ないし１０ｍｍ幅となるマーキング着色やマーキング線のマーキング材を装着して、所要のマーキング着色やマーキング線のマーキング材を繰り出し自在に形成した書籍等のマーキング具を提供するにある。
【考案の効果】
【００１２】
本考案は、マーキング具を鉛筆状や蛍光ペン状等の筆記具状に形成することによって、従来慣用的に行っている赤線引きやマーカーペン等の着色処理のように書籍等にマーキングを行うことができる。
【００１３】
そして、マーキング具を鉛筆状や蛍光ペン状等の筆記具状に形成して文字幅ないし鉛筆の芯幅のマーキング着色やマーキング線を施すマーキング材を上記マーキング具内に装着し、マーキング具の先端部からマーキング着色やマーキング線を施すマーキング材を繰り出し自在に形成して、書籍や雑誌、新聞などの文字面に着脱可能に着色したり、文字の側部や下部に着脱可能に傍線や下線を付するように形成したことによって、上記のように筆記具のようにして書籍等の所要の文字列に傍線状や下線状に付したり、所要の文字列を着色表示のマーキングを施すことができ、必要により奇麗に簡単に取り除くことができ、書籍とをマーキングで汚さないようにできる。
【００１４】
また、文字幅ないし鉛筆の芯幅のマーキング着色やマーキング線を施した粘着テープのマーキング材を巻回した巻回体をマーキング具内に装着し、マーキング具の先端の開口部から上記巻回体に巻回したマーキング着色やマーキング線を施した粘着テープのマーキング材を繰り出し自在に形成したことによって、マーキング着色やマーキング線を施した粘着テープを介して上記のように筆記具のようにして書籍等の所要の文字列に傍線状や下線状に付したり、所要の文字列を着色表示のマーキングを施すことができ、必要により奇麗に簡単に取り除くことができる。
【００１５】
さらに、文字幅ないし鉛筆の芯幅のマーキング着色やマーキング線を施す剥離可能な流動状のマーキング材をマーキング具内に気密的に装着し、マーキング具の先端のペン先部から上記剥離可能な流動状のマーキング材を所要個所に繰り出し自在にして付着したことによって、剥離可能な流動状のマーキング材を所要個所に繰り出し自在にして付着して上記のように筆記具のようにして書籍等の所要の文字列に傍線状や下線状に付したり、所要の文字列を着色表示のマーキングを施すことができ、必要により奇麗に簡単に取り除くことができる。
【００１６】
さらにまた、マーキングを０．５〜１．０ｍｍ幅に形成したことによって、上記のように筆記具のようにして書籍等の所要の文字列に傍線状や下線状に付したり、所要の文字列を着色表示のマーキングを施すことができ、必要により奇麗に簡単に取り除くことができる。
【００１７】
さらにまた、マーキング具内に赤色や黄色などの複数色または０．５ｍｍ幅ないし１０ｍｍ幅となるマーキング着色やマーキング線のマーキング材を装着して、所要のマーキング着色やマーキング線のマーキング材を繰り出し自在に形成したことによって、着脱自在のマーキング具であるにもかかわらず、赤色や黄色等の複数色や所定幅でのマーキングを行える。
【考案を実施するための最良の形態】
【００１８】
本考案の書籍等のマーキング具は、書籍や雑誌、新聞などの文字面に着色したり、文字の側部や下部に傍線や下線を付するための書籍等のマーキング具であって、上記マーキング具を鉛筆状や蛍光ペン状等の筆記具状に形成して文字幅ないし鉛筆の芯幅のマーキング着色やマーキング線を施すマーキング材を上記マーキング具内に装着し、マーキング具の先端部からマーキング着色やマーキング線を施すマーキング材を繰り出し自在に形成して、書籍や雑誌、新聞などの文字面に着脱可能に着色したり、文字の側部や下部に着脱可能に傍線や下線を付するように形成したことを特徴としている。
【００１９】
マーキング具１は、図１、図２のように鉛筆状や蛍光ペン状等の筆記具状としたマーキング具本体２に着色や着色線のマーキング３を施した所定幅の粘着テープのマーキング材４を巻回体５に巻回して装着し、この粘着テープのマーキング材４をマーキング本体２の先端に開口した開口部６から繰り出し自在に形成して、書籍や雑誌、新聞などの文字面に着色したり、文字の側部や下部に着脱可能に傍線や下線を付せるようにしている。
【００２０】
マーキング本体２は、プラスチック材等で組立可能に図１のように筆記具状に形成して指間に挟むようにしてマーキングするのが、図２のように筆記具のようにして書籍等の所要の文字列に傍線状や下線状に付したり、所要の文字列を着色表示のマーキングを違和感なく施すことができて好ましいものである。
【００２１】
粘着テープのマーキング材４は、図３（ａ）、（ｂ）のように着脱可能に裏面に所要の粘着剤７を全長ないし５〜１０ｍｍ間隔等の一定間隔で塗着して、適宜な個所で切断可能な０．０３〜０．１ｍｍ厚さ、０．５〜１０ｍｍ幅のプラスチックフィルムやゴムフィルムを使用して、その表面側に全面に赤色や黄色などの適宜な着色のマーキング３を施したり、０．１〜１．０ｍｍ幅の直線、点線、破線、波線等の所要の着色線のマーキング３を全長にわたって施して、筆記具のようにして書籍等の所要の文字列に傍線状や下線状に貼り付けたり、所要の文字列を着色表示のマーキングを貼り付けて施せるようにしている。  
【００２２】
この粘着テープのマーキング材４は、０．５〜１．０ｍｍ幅のものとすれば、従来のボールペンや鉛筆のようにそのままで赤線や黄線等のマーキングが施せるものであり、０．０３〜０．０５ｍｍ厚さ等のできるだけ薄くすれば、それだけ巻回体５への巻回数が多くなってマーキング量の増加がはかれて好ましい。
また、３〜１０ｍｍ幅の太幅の場合、粘着テープ４を透明状または半透明状とするのが、文字列に入り込んでも、文字列を消去させずに読み取るようにできて好ましい。
【００２３】
また、この粘着テープ４の巻回体５は、図１、図４のように緩い勾配とした切頭円錐状等の棒状体として、その周面に上記した粘着テープのマーキング材４を糸巻のボビン巻きのようにスパイラル状にジグザグ状態に両端部間を往復させて所要の厚さに巻回するのが好ましい。そして、この巻回体５の中心軸に支持軸８を設けて、マーキング具本体２の両端支持状態として軸支し、粘着テープ４を繰り出しローラ９間を介して先端の開口部６から円滑に繰り出せるようにしている。
【００２４】
上記した巻回体５は、図１のように細径側面を先端側に向けて軸支するのが好ましく、このように軸支することによって、巻回体５に巻回した粘着テープのマーキング材４を軽く円滑に繰り出せる。なお、繰り出しローラ９は、前後や左右一対として図５のように相互に片側が鍔状に鍔体１０を突き出して粘着テープのマーキング材４を中央の所定通路に案内し、図６のように書籍や雑誌、新聞等の所要個所に粘着テープのマーキング材４を貼り付けられるようにしている。
【００２５】
なお、上記マーキング具１には、図１、図２のようにその先端部の片面側をやや突き出してその端部をカッター状としたり、鋸歯状として粘着テープのマーキング材４を容易に切り離せるようにするのが好ましい。なお、先端部にカッターを設けることもできる。
【００２６】
また、図７のようにマーキング具１には、マーキング具本体２の中央部に巻回体５を左右１つずつ装着し、マーキング具本体２の両側の先端部に開口部６をそれぞれ開口して、たとえば左右の巻回体５にそれぞれ巻回した赤色の粘着テープのマーキング材４および黄色の粘着テープのマーキング材４を左右から繰り出すようにして複数色のマーキングを行うようにもできる。マーキング具本体２に巻回体５を同心軸状に大小の巻回体５を装着したりして、巻回体５に太細幅の粘着テープのマーキング材４をそれぞれ巻回したりして、マーキング具１の左右両側から異なる太細幅のマーキング３の粘着テープのマーキング材４をそれぞれ繰り出すようにもできる。
【００２７】
またさらに、図８や図９のように筆記具状としたマーキング具１の内部に粘着剤液の流動状のマーキング材４を含浸材等を介して気密的に装着して収容し、その一側および／または他側の先端部に図のようにフェルト材等のペン先部１１を太細等としてそれぞれ内側部のマーキング材４に挿入状態として取り付け、流動体のマーキング材４をペン先部１１から繰り出して上記したようにマーキングするようできるものである。１２はキャップである。
【００２８】
上記流動状のマーキング材４としては、たとえばアクリル系共重合体に液状のカルボン酸エステルを含有する粘着剤組成物や、アクリル共重合体エマルジョンを所定状態にエタノールで希釈した再剥離粘着剤等を利用することができ、これらに赤や黒等の適宜の顔料を加え、また図９のようにマーキング材４をカセット式として色違いのものを左右部に装着し、両側から色違いのマーキング材４を繰り出すなどとすることができる。
【実施例】
【００２９】
図１〜図５は、本考案の一実施例を示すもので、マーキング具１は、図１、図２のように蛍光ペンの筆記具状としたマーキング具本体２に着色や着色線のマーキング３を施した所定幅の粘着テープのマーキング材４を巻回体５に巻回して装着し、この粘着テープのマーキング材４をマーキング本体２の先端に開口した開口部６から繰り出し自在に形成して、図６のように書籍や雑誌、新聞などの文字面にマーキング材４を先端部で所要の長さに切断して貼り付けて着色したり、文字の側部や下部に先端部で所要の長さに切断して貼り付けて傍線や下線を付せるようにしている。
【００３０】
粘着テープのマーキング材４は、図３（ａ）や （ｂ）のように着脱可能に裏面に所要の粘着剤７を全長に装着して、０．０３ｍｍ厚さ１．０幅のプラスチックフィルムを使用して、その表面側に赤色のマーキング３を施したものとしている。
【００３１】
この粘着テープのマーキング材４は、０．５〜１．０ｍｍ幅のものとすると、そのままで０．５〜１．０ｍｍの鉛筆やボールペンの芯状の赤線や黄線等のマーキングが施せ、０．０３ｍｍに薄くして巻回体５への巻回数を多くしマーキング量の増加がはかれる。
また、３〜１０ｍｍ幅の太幅として、粘着テープを透明状または半透明状とすると、文字列に入り込んでも、文字列を消去させずに読み取るようにできて好ましく、必要により粘着テープのマーキング材４の表面に適宜のメモを書き込むこともできる。
【００３２】
また、この粘着テープのマーキング材４の巻回体５は、図４のように緩い勾配とした切頭円錐状体の周面に上記した粘着テープのマーキング材４を糸巻のボビン巻きのようにスパイラル状にジグザグ状態に両端部間を往復させて所要の厚さに巻回し、巻回体５の中心軸に支持軸８を突設して、マーキング具本体２の両端支持状態として軸支し、粘着テープを繰り出しローラ９を介して先端の開口部６から円滑に繰り出せるようにしている。
【００３３】
上記した巻回体５は、図１のように細径側面を先端側に向けて軸支するのが好ましく、このように軸支することによって、巻回した粘着テープのマーキング材４を巻回体５に巻回した粘着テープのマーキング材４にできるだけ接触しないようにして軽く円滑に繰り出せる。
【００３４】
図７は、本考案の他の実施例で、マーキング具１には、マーキング具本体２の中央部に巻回体５を左右１つずつ装着し、マーキング具本体２の両側の先端部に開口部６をそれぞれ開口して、たとえば左右の巻回体５にそれぞれ巻回した赤色の粘着テープのマーキング材４および黄色の粘着テープのマーキング材４を左右から繰り出すようにして複数色のマーキングを行うようにしている。
【００３５】
またさらに、図８のように筆記具状としたマーキング具１の内側に赤、黒等の所定色の顔料を添加した粘着剤液の流動状のマーキング材４を気密的に収容し、その両側の先端部に図のようにフェルト材のペン先部１１を太細としてそれぞれ内側部のマーキング材４に挿入状態として取り付け、キャップ１２をはずして流動状のマーキング材４をペン先部１１からそれぞれ繰り出して上記したようにマーキングするようにしたものである。
【００３６】
さらにまた、図９のように筆記具状としたマーキング具１の内側に赤、黒等の所定色の顔料を添加した粘着剤液の流動状のマーキング材４を内蔵したカセット体１３をそれぞれ収容し、カセット体１３の端部のフェルト材のペン先部１１から色違いのマーキング材４をそれぞれ繰り出して上記したようにマーキングするようにしたものである。
【００３７】
これらの実施例では、上記のように筆記具のようにして書籍等の所要の文字列に傍線状や下線状に付したり、所要の文字列を着色表示のマーキングを施すことができ、必要により奇麗に簡単に取り除くことができて書籍等を汚さないようにできる。
【００３８】
以上のように本考案は、いろいろな態様が実施可能であり、本考案の趣旨にもとづいて文字部を囲むマーキングなどのさらに他の変形態様が実施できるものである。
【図面の簡単な説明】
【００３９】
【図１】本考案の一実施例の分離した説明用側断面図、
【図２】同上の書籍等への貼付状態説明用図、
【図３】同上の粘着テープの説明用拡大縦断面図（ａ）、（ｂ）、
【図４】同上の粘着テープの巻回体の説明図、
【図５】同上の繰り出しローラの組み合せ説明図、
【図６】同上の粘着テープでのマーキング状態説明図、
【図７】同上の他の実施例の側断面図、
【図８】同上のさらに他の実施例の側断面図、
【図９】同上のさらに他の実施例の側断面図。
【符号の説明】
【００４０】
１…マーキング具        ２…マーキング具本体          ３…マーキング
４…マーキング材        ５…巻回体                    ６…開口部
７…粘着剤            １１…ペン先部
【図１】
0003137367.tif 000003
【図２】
0003137367.tif 000004
【図３】
0003137367.tif 000005
【図４】
0003137367.tif 000006
【図５】
0003137367.tif 000007
【図６】
0003137367.tif 000008
【図７】
0003137367.tif 000009
【図８】
0003137367.tif 000010
【図９】
0003137367.tif 000011